(57)【要約】【課題】  ディスポーザブル袋などの汎用の袋を利用した注出器具を簡単に作製することのできるスパウトを提供すること。【解決手段】  袋９の内容物を注出するスパウト１において、袋９に対して外側９１から装着される装着部４を有するスパウト本体２を形成する。また、袋９の内側９２から袋９を挟んでスパウト本体２の装着部４に係合されることにより、装着部４を袋９に固定するためのＯリング３を形成する。また、スパウト本体２内には、スパウト本体２とＯリング３とにより内外から挟まれた袋９に孔を開けるための三角板１５を設ける。【選択図】図１
2010047264.tif 000002
【特許請求の範囲】
【請求項１】
袋の内容物を注出するスパウトであって、
一端から他端へ貫通する注出孔を有し、一端側が袋に対して外側から装着され、他端側が注出口となる筒状体と、
袋の内側から袋を挟んで前記筒状体の一端側に係合されることにより、前記筒状体の一端側を袋に固定するための固定具と、
前記筒状体または前記固定具に設けられ、前記筒状体と前記固定具とにより内外から挟まれた袋に孔を開けるための穿孔具とを備えることを特徴とする、スパウト。
【請求項２】
前記固定具が、前記筒状体の一端側外周面を、袋を介在させて締め付ける締め付け手段を含むことを特徴とする、請求項１に記載のスパウト。
【請求項３】
前記穿孔具が、前記注出孔内に設けられ、前記筒状体の一端側に向かって尖る尖鋭体を含むことを特徴とする、請求項１または２に記載のスパウト。
【請求項４】
前記固定具が、袋の内容物を取り入れる取入孔を有し、前記筒状体の一端側外周面に袋を介在させて被せるキャップであることを特徴とする、請求項１に記載のスパウト。
【請求項５】
前記キャップと前記筒状体の一端側外周面とが、凸凹により係合されていることを特徴とする、請求項４に記載のスパウト。
【請求項６】
前記キャップと前記筒状体の一端側外周面とが、ねじにより係合されていることを特徴とする、請求項４に記載のスパウト。
【請求項７】
前記キャップには、前記取入孔から前記筒状体の前記注出孔方向に臨む先の尖った穿孔具が備えられていることを特徴とする、請求項４〜６のいずれかに記載のスパウト。
【発明の詳細な説明】
【技術分野】
【０００１】
本発明は、袋の内容物を注出するためのスパウトに関する。
【背景技術】
【０００２】
従来、患者に投与される液状経腸栄養剤、流動食品などの投与剤は、専用の保存用パウチに保存されている。そして、パウチ内の投与剤は、使用時に専用の投与装置に充填され（移し変えられ）、投与装置を作動させることにより患者に投与される。
たとえば、投与剤が液状の栄養剤であるとき、一般的にはイルリガートルに栄養液を移し変えられて、経鼻チューブ（栄養セット）やＰＥＧチューブ、胃瘻・腸瘻チューブと接続されて患者の胃内あるいは腸内に投与される例が多い。
【０００３】
また、投与剤が粘度の高い半固形栄養剤であるときに使用される装置として、筒状のシリンダ部と、シリンダ部の内部にその軸方向に移動自在に設けられた第１のピストン部および第２のピストン部と、シリンダ部の各端部にそれぞれ着脱可能に取り付けられた第１のシリンダキャップおよび第２のシリンダキャップとを備える投与装置が提案されている（たとえば、特許文献１参照。）。
【０００４】
この投与装置において、第１のシリンダキャップには、ノズルが形成されている。ノズルには、患者などへの投与に用いられる投与チューブが接続される。一方、第２のシリンダキャップには、圧送ガスの導入口および排出口が形成されている。
そして、この投与装置を用いて投与剤を投与するには、まず、第１のピストン部と第２のピストン部との間にフラッシング剤が充填される。次いで、第１のシリンダキャップが取り付けられる側から投与剤（栄養組成物）が充填される。その後、第２のシリンダキャップの導入口から圧縮ガスが導入される。これにより、第２のピストン部が圧縮ガスに押圧されて、第１のピストン部がフラッシング剤を介して第２のピストン部に押圧される。押圧された第１のピストン部は、投与剤を押圧し、これによって投与剤がノズルから押し出される。押し出された投与剤は、投与チューブを通って患者に投与される。
【特許文献１】特開２００７−８２６３４号公報
【発明の開示】
【発明が解決しようとする課題】
【０００５】
投与剤は、病院などの医療機関に入院する患者に投与されるだけでなく、家庭で療養する在宅療養者に対して、療養者自身などによって投与される場合がある。
しかし、イルリガードルや栄養セットによる投与装置や特許文献１に示されるような投与装置は、患者にとって非常に高価なものであり、また、介護人もしくは医療現場に携わる者でなければその取り扱いが困難な場合がある。
【０００６】
そこで、投与装置よりも安価で取扱いが簡単な投与器具として、たとえば、ゼリー状栄養食品の包装材として利用されるスパウト付きパウチを応用した、投与チューブの接続可能な専用のスパウト付きパウチなどの利用が検討されるが、このような投与器具であっても、器具コストの低減に限界がある。
その一方で、保存用パウチに保存された投与剤や栄養食品を、家庭において汎用のディスポーザブル袋などに入れ替え、その袋から直接注出することができれば、わざわざ高価な投与装置や注出（投与）器具を用意する必要がなくなり、経済的に好ましい。
【０００７】
そこで、本発明の主たる目的は、ディスポーザブル袋などの汎用の袋を利用した注出器具を簡単に作製することのできるスパウトを提供することにある。
また、本発明の別の目的は、袋の内容物を簡単に注出することのできるスパウトを提供することにある。
また、本発明の別の目的は、患者への投与剤の投与を簡易化でき、さらに、投与に要するコストを低減できるスパウトを提供することにある。
【課題を解決するための手段】
【０００８】
請求項１に記載の発明は、袋の内容物を注出するスパウトであって、一端から他端へ貫通する注出孔を有し、一端側が袋に対して外側から装着され、他端側が注出口となる筒状体と、袋の内側から袋を挟んで前記筒状体の一端側に係合されることにより、前記筒状体の一端側を袋に固定するための固定具と、前記筒状体または前記固定具に設けられ、前記筒状体と前記固定具とにより内外から挟まれた袋に孔を開けるための穿孔具とを備えることを特徴とする、スパウトである。
【０００９】
請求項２に記載の発明は、前記固定具が、前記筒状体の一端側外周面を、袋を介在させて締め付ける締め付け手段を含むことを特徴とする、請求項１に記載のスパウトである。
請求項３に記載の発明は、前記穿孔具が、前記注出孔内に設けられ、前記筒状体の一端側に向かって尖る尖鋭体を含むことを特徴とする、請求項１または２に記載のスパウトである。
【００１０】
請求項４に記載の発明は、前記固定具が、袋の内容物を取り入れる取入孔を有し、前記筒状体の一端側外周面に袋を介在させて被せるキャップであることを特徴とする、請求項１に記載のスパウトである。
請求項５に記載の発明は、前記キャップと前記筒状体の一端側外周面とが、凸凹により係合されていることを特徴とする、請求項４に記載のスパウトである。
【００１１】
請求項６に記載の発明は、前記キャップと前記筒状体の一端側外周面とが、ねじにより係合されていることを特徴とする、請求項４に記載のスパウトである。
請求項７に記載の発明は、前記キャップには、前記取入孔から前記筒状体の前記注出孔方向に臨む先の尖った穿孔具が備えられていることを特徴とする、請求項４〜６のいずれかに記載のスパウトである。
【発明の効果】
【００１２】
請求項１に記載の発明によれば、筒状体の一端側を袋に対して外側から装着し、袋を挟んで筒状体に固定具を係合することにより、袋にスパウトが装着された注出器具を簡単に作製することができる。つまり、注出器具の利用者側で用意される袋を利用して、注出器具を簡単に作製することができる。
また、袋に孔を開けるための穿孔具が筒状体または固定具に設けられているため、この穿孔具を利用して袋に孔を開ければ、袋の内容物を簡単に注出することができる。さらに、内容物の注出後、筒状体と固定具との係合を解除し、それぞれ洗浄することにより、これらを再利用することができる。
【００１３】
したがって、このスパウトにより作製される注出器具を、患者への投与剤の投与器具として用いる場合には、患者への投与を簡易化でき、さらに、投与に要するコストを低減することができる。
請求項２に記載の発明によれば、締め付け手段の締め付けにより、筒状体が袋に固定されるので、袋に対する筒状体の固定強度を向上させることができる。
【００１４】
たとえば、袋への筒状体の固定に際して、Ｏリングなどを筒状体の一端側外周面に嵌めればよいので、袋に対して筒状体を簡単に固定することができる。
また、Ｏリングを溝もしくは突起物に嵌めることにより、筒状体に対するＯリングの位置ずれを抑制することができるので、筒状体に対するＯリングの固定の信頼性を向上させることができる。
【００１５】
請求項３に記載の発明によれば、筒状体の他端側から注出孔内に吸引力を与えることにより、袋を注出孔内に吸引することができる。そして、吸引された袋を尖鋭体に接触させて、袋に孔を開けることができる。つまり、注出孔内に吸引力を与えるだけで、袋の内容物を簡単に注出することができる。
たとえば、尖鋭体の尖った先端が、筒状体の一端側とほぼ同じ位置に位置した場合、筒状体と固定具とにより袋が挟まれた状態において、袋と尖鋭体との余計な接触を抑制することができる。そのため、袋の不要な孔開きを抑制することができ、必要なときにのみ、袋に孔を開けることができる。
【００１６】
請求項４に記載の発明によれば、袋への筒状体の固定に際し、筒状体の一端側外周面に袋を介在させてキャップを被せるので、袋に対して筒状体をキャップの内面により固定することができる。筒状体が、線ではなく面で固定されるので、袋に対する筒状体の固定強度を向上させることができる。
請求項５に記載の発明によれば、キャップと筒状体の一端側外周面とが、凸凹により係合されるので、キャップを簡単に脱着することができる。
【００１７】
請求項６に記載の発明によれば、キャップと筒状体の一端側外周面とが、ねじにより係合されるので、キャップを簡単に脱着することができる。また、袋に対する筒状体の固定強度を向上させることもできる。
請求項７に記載の発明によれば、筒状体の一端側にキャップを被せるときに、キャップに備えられる穿孔具により、一端側外周面に介在される袋に孔を開けることができる。つまり、袋への筒状体の固定と、袋の開孔とを同時に行なうことができる。
【００１８】
なお、筒状体に把持部が形成されていれば、袋に筒状体を固定するときに、筒状体の取扱性を向上させることができるので、より好ましいスパウトを得ることができる。
【発明を実施するための最良の形態】
【００１９】
＜第１の実施形態＞
（スパウトの概要およびその使用方法）
図１は、本発明の第１の実施形態に係るスパウトの概要および使用方法を説明するための図である。
スパウト１は、たとえば、汎用の袋（たとえば、ロール式袋、レジ袋などのディスポーザブル（使い捨て）袋）に取り付けられ、吸引力により袋内の内容物を注出することのできるものである。
【００２０】
スパウト１は、筒状をなすスパウト本体２と、スパウト本体２を袋に固定するためのＯリング３とを分離可能に備えている。
スパウト本体２は、袋に装着される軸方向一端側の装着部４と、各種チューブ（たとえば、経口、経鼻あるいは胃瘻チューブなど）が接続される軸方向他端側の接続部５と、装着部４と接続部５との間に形成され、装着部４および接続部５よりも大きい外径の（外側に膨らむ）把持部６とを一体的に備えている。
【００２１】
装着部４には、その外周面７を１周して繋がる円環溝８が形成されている。
スパウト１は、通常時（使用時以外）には、たとえば、円環溝８にＯリング３が嵌められた状態で保管される。
次に、スパウト１の使用方法を説明する。
スパウト１の使用時、まず、スパウト本体２からＯリング３が取り外される。次いで、図１（ａ）に示すように、スパウト本体２の装着部４により、袋９が、その外側９１から内側９２に押し込まれる。これにより、袋９の内側９２には、袋９に被覆された装着部４が突出する。
【００２２】
そして、この突出した装着部４に対して、袋９の内側９２から袋９を挟んでＯリング３が嵌められ、装着部４の外周面７に沿って円環溝８の位置までずらされる。Ｏリング３が円環溝８に嵌められることにより、装着部４の外周面７（円環溝８）がＯリング３の弾性力によって袋９とともに締め付けられ、図１（ｂ）に示すように、袋９が装着部４に固定される。これにより、スパウト１が袋９に装着された注出器具が作製される。
【００２３】
スパウト１の装着後、図１（ｃ）に示すように、袋９の内側９２に液状物１０（たとえば、液状経腸栄養剤、流動食品などの投与剤）が注がれ、袋９の口部１１が、たとえば、輪ゴム、専用のクリップなどの封止具１６で縛られることにより、袋９が封止される。
次いで、図１（ｄ）に示すように、底部に貫通孔１３を有する容器１２が用意され、把持部６が貫通孔１３から容器１２の外側に露出した状態で、液状物１０の貯められた袋９が容器１２に収容される。
【００２４】
袋９の収容後、把持部６を持つことによりスパウト１が支持された状態で、接続部５にチューブ１４が接続される。この状態から、チューブ１４内に対して、スパウト本体２の一端側から他端側へ向かう吸引力が与えられると、スパウト本体２に設けられた三角板１５により、袋９が裂かれて孔２９が開き、袋９の内側９２とチューブ１４内とが連通状態となる。そして、容器１２が高い位置に吊るされ、チューブ１４の末端が注出箇所（たとえば、患者の投与部分など）に固定されることにより、液状物１０が、その自重により、スパウト本体２の一端から他端に向かって流れて注出される。
（スパウトの詳細）
以上のように使用されるスパウト１の詳細を次に説明する。
【００２５】
図２は、図１に示すスパウトの（ａ）本体の平面図（ｂ）本体の側断面図（図２（ａ）のｂ−ｂで示される切断線で切断したときの断面図）（ｃ）Ｏリングの斜視図である。図２において、図１に示す各部に対応する部分には、それらの各部と同一の参照符号を付している。
スパウト本体２は、たとえば、ポリカーボネートなどの半透明性のエンジニアリングプラスチックからなり、上記したように、装着部４と、接続部５と、把持部６とを一体的に備えている。また、スパウト本体２は、装着部４、接続部５および把持部６を、装着部４の軸方向一端１８から接続部５の軸方向他端１９へ貫通する注出孔１７を有している。
【００２６】
装着部４は、その一端１８を含む平面が軸方向に対して直交する円筒状に形成されるとともに、外周面７が、把持部６に接続される他端２０から一端１８に向かうテーパ（たとえば、約１／１０のテーパ比を有するテーパ）になっている。なお、テーパ比は、たとえば、ＪＩＳ  Ｂ０６１２に準拠して算出することができる（以下同様）。
また、装着部４の一端１８は、注出孔１７の形成により開口しており、スパウト１を袋に装着したときに、袋の内容物を注出孔１７へ取り入れる取入口２１となる。
【００２７】
装着部４に形成された円環溝８は、装着部４の軸方向中央からやや把持部６よりに形成されている。円環溝８の形成により、テーパ状の装着部４の外周面７には、テーパの先端（装着部４の一端１８）における径よりも小さい径を有する括れ部２２が形成されている。
また、装着部４には、上記した三角板１５が設けられている。三角板１５は、たとえば、二等辺三角形をなし、その頂角２３が装着部４の一端１８に向いた状態、かつ、２つの底角２４がそれぞれ注出孔１７に臨む装着部４の内壁２５に一体的に当接した状態で、注出孔１７内に配置されている。このようにして設けられる三角板１５により、装着部４における注出孔１７には、三角板１５が配置される部分において、径方向に仕切られる２つの流路が形成されている。また、三角板１５の尖った先端２８（頂角２３における頂点）は、装着部４の一端１８を含む平面上に位置している。
【００２８】
接続部５は、その軸方向の長さが装着部４とほぼ同じ長さであって、装着部４よりも細い管である。接続部５は、その他端１９を含む平面が軸方向に対して直交する円筒状に形成されるとともに、外周面３０が、把持部６に接続される一端２６から他端１９に向かうテーパ（たとえば、装着部４と同じテーパ比を有するテーパ）になっている。また、接続部５の他端１９は、注出孔１７の形成により開口しており、スパウト１を袋に装着したときに、袋の内容物をチューブなどへ注出する注出口２７となる。
【００２９】
把持部６は、その軸方向の長さが装着部４とほぼ同じ長さであって、装着部４側（一端側）から接続部５側（他端側）に向かって径の一定な円筒形に形成されている。把持部６は、装着部４および接続部５よりも大きい外径を有している。把持部６と、装着部４および接続部５との外径の比率は、たとえば、把持部６の外径／装着部４の外径＝２０／１３であり、把持部６の外径／接続部５の外径＝２０／７である。なお、テーパ状の装着部４および接続部５の外径とは、これらの最大外径のことをいう。
【００３０】
そして、装着部４、把持部６および接続部５を貫通する注出孔１７は、スパウト本体２において、袋の内容物が流れる流路をなしている。注出孔１７は、取入口２１（装着部４の一端１８）から注出口２７（接続部５の他端１９）へ向かって段階的に流路経が窄まっており、具体的には、装着部４においてテーパ状に窄まり、把持部６において一定の流路径を保持し、接続部５において再びテーパ状に窄まっている。
【００３１】
装着部４および接続部５における注出孔１７は、たとえば、いずれも約１／１０のテーパ比を有するテーパである。したがって、装着部４には、装着部４のテーパ方向に対して逆方向に同じテーパ比の注出孔１７が形成されているため、装着部４の径方向における厚さは、装着部４の他端２０に向かうに連れて次第に厚くなっている。
一方、接続部５には、接続部５のテーパ方向に対して同方向に同じテーパ比の注出孔１７が形成されているため、接続部５の径方向における厚さは、接続部５の軸方向いずれの位置においても一定の厚さになっている。
【００３２】
そして、上記したスパウト本体２は、たとえば、専用の金型を作製し、その金型にスパウト本体２を構成するプラスチックの溶融材料を射出して成形することにより製造することができる。
Ｏリング３は、弾性を有する材料からなり、たとえば、装着部４の括れ部２２の内径とほぼ同じ内径を有するＯリングを適用することができる。なお、Ｏリング３の太さは、円環溝８に嵌めることが可能な範囲で適宜設計することができる。
（作用効果）
この第１の実施形態によれば、袋９を、その外側９１から内側９２へスパウト本体２の装着部４により押し込み、内側９２に突出した装着部４に対して、袋９を挟んでＯリング３を嵌めることにより、袋９にスパウト１が装着された注出器具を簡単に作製することができる。つまり、注出器具の利用者側で用意される袋９を利用して、注出器具を簡単に作製することができる。
【００３３】
また、スパウト１の接続部５に接続されたチューブ１４内に対して吸引力を与えるだけで、三角板１５により袋９に孔２９を開けて、袋９の内側９２と注出孔１７とを連通状態にすることができるので、袋９の液状物１０を簡単に注出することができる。さらに、液状物１０の注出後に、スパウト本体２とＯリング３とを分離し、それぞれ洗浄することにより、これらを再利用することができる。
【００３４】
したがって、このスパウト１により作製される注出器具を、患者への投与剤の投与器具として用いる場合には、患者への投与を簡易化でき、さらに、投与に要するコストを低減することができる。
また、袋９へのスパウト本体２の固定に際して、Ｏリング３を装着部４の円環溝８に嵌めるだけでよいので、袋９に対してスパウト本体２を簡単に固定することができる。
【００３５】
また、Ｏリング３を円環溝８に嵌めることにより、装着部４に対するＯリング３の位置ずれを抑制することができるので、スパウト本体２に対するＯリング３の固定の信頼性を向上させることができる。
また、スパウト本体２は、Ｏリング３の弾性力により、袋９とともに締め付けられて固定されるので、袋９に対するスパウト本体２の固定強度を向上させることができる。
【００３６】
また、三角板１５の尖った先端２８が、装着部４の一端１８を含む平面上に位置しているので、袋９と三角板１５との余計な接触を抑制することができる。そのため、袋９の不要な孔開きを抑制することができ、必要なときにのみ（チューブ１４内に吸引力を与えたときのみ）、袋９に孔を開けることができる。
さらに、スパウト本体２に把持部６が形成されており、スパウト本体２が持ちやすいので、袋９にスパウト本体２を固定するときに、スパウト本体２の取扱性を向上させることができる。
＜第２の実施形態＞
（スパウトの構成）
図３は、本発明の第２の実施形態に係るスパウトの（ａ）キャップの平面図（ｂ）キャップの側断面図（図３（ａ）のｂ−ｂで示される切断線で切断したときの断面図）である。
【００３７】
第２の実施形態に係るスパウトは、図２に示すスパウト本体２と、スパウト本体２を袋に固定するためのキャップ３２とを分離可能に備えている。
キャップ３２は、装着部４に被せるための部材であって、装着部４のテーパ比と同じテーパ比を有するテーパ状の周壁３３と、周壁３３のテーパ方向先端から径方向内側に広がる円環状の上壁３４とを一体的に備えている。
【００３８】
周壁３３のテーパ方向始端には、周壁３３の径方向内側に延びる１対の係合爪３５が一体的に形成されている。１対の係合爪３５は、周壁３３の径方向に互いに対向し、各係合爪３５が、それぞれ上壁３４と平行をなして形成されている。
円環状の上壁３４に囲まれる円形の開口３６は、スパウト３１（後述）を袋に装着したときに、袋の内容物をキャップ３２内に取り入れる取入口となる。
【００３９】
また、上壁３４には、開口３６からキャップ３２内部（周壁３３に囲まれる部分）に臨む方向に尖る三角板３７が設けられている。三角板３７は、たとえば、二等辺三角形をなし、その頂角３８が周壁３３のテーパ方向始端を含む平面に向いた状態、かつ、２つの底角３９がそれぞれ上壁３４の内周縁に一体的に当接した状態で、キャップ３２内に配置されている。
【００４０】
このようにして設けられる三角板３７により、開口３６が２つの半円に仕切られるとともに、キャップ３２内には、三角板３７の配置される部分において、径方向に仕切られる２つの流路が形成されている。
また、三角板３７の尖った先端４１（頂角３８における頂点）は、周壁３３のテーパ方向始端を含む平面よりも、周壁３３のテーパ方向先端側に位置している。これにより、係合爪３５と三角板３７の頂角３８との間には、クリアランスが設けられている。
（スパウトの使用方法）
以上のようなキャップ３２を備えるスパウト３１は、以下のように使用される。
【００４１】
図４は、本発明の第２の実施形態に係るスパウト３１の使用方法を説明するための図である。図４において、図１および図２に示す各部に対応する部分には、それらの各部と同一の参照符号を付している。
第２実施形態に係るスパウト３１を袋９に装着するには、まず、図４（ａ）に示すように、スパウト本体２の装着部４により、袋９が、外側９１から内側９２に押し込まれる。これにより、袋９の内側９２には、外周面７全域が袋９に被覆された装着部４が突出する。
【００４２】
次いで、この突出した装着部４に対して、袋９の内側９２から袋９を挟んで、係合爪３５を外側に広げるようにしてキャップ３２が嵌められる。
そして、装着部４の外周面７に沿って係合爪３５を滑らせることにより、図４（ｂ）に示すように、係合爪３５と円環溝８とが嵌合される。キャップ３２の係合爪３５と装着部４の外周面７（円環溝８）とが、キャップ３２の内周面４２と装着部４の外周面７との間に袋９を介在させた状態で凸凹により係合されるので、袋９が装着部４に固定される。これにより、スパウト３１が袋９に装着された注出器具が作製される。
【００４３】
そして、この実施形態では、キャップ３２の係合時に、三角板３７により袋９が裂かれて孔４０が開けられ、袋９の内側９２と注出孔１７内とが、キャップ３２の開口３６を介して連通状態となる。
（作用効果）
この第２の実施形態によれば、袋９を、その外側９１から内側９２へスパウト本体２の装着部４により押し込み、内側９２に突出した装着部４に対して、袋９を挟んでキャップ３２を嵌め、係合爪３５と円環溝８とを嵌合させることにより、袋９にスパウト１が装着された注出器具を簡単に作製することができる。つまり、注出器具の利用者側で用意される袋９を利用して、注出器具を簡単に作製することができる。
【００４４】
また、キャップ３２の係合爪３５と装着部４の外周面７（円環溝８）との凸凹の係合により、スパウト本体２とキャップ３２とが固定されるので、キャップ３２を簡単に脱着することができる。そのため、袋９の内容物の注出後に、スパウト本体２とキャップ３２とを分離し、それぞれ洗浄することにより、これらを再利用することができる。
したがって、このスパウト３１により作製される注出器具を、患者への投与剤の投与器具として用いる場合には、患者への投与を簡易化でき、さらに、投与に要するコストを低減することができる。
【００４５】
また、装着部４の外周面７とキャップ３２の内周面４２との間に袋９を介在させた状態で、スパウト本体２が固定される。つまり、スパウト本体２が線ではなく面（キャップ３２の内周面４２）で固定されるので、袋９に対するスパウト本体２の固定強度を向上させることができる。
また、キャップ３２に三角板３７が設けられているので、キャップ３２の係合時に、三角板３７により袋９に孔４０を開けることができる。つまり、袋９へのスパウト本体２の固定と、袋９の開孔とを同時に行なうことができる。
【００４６】
さらに、係合爪３５と三角板３７の頂角３８との間にクリアランスが設けられているので、キャップ３２を装着部４に嵌める前（位置決めする前）に、袋９に孔が開いてしまうのを抑制することができる。
＜第３の実施形態＞
（スパウトの構成）
図５は、本発明の第３の実施形態に係るスパウトの本体の要部断面図である。図５において、図２に示す各部に対応する部分には、それらの各部と同一の参照符号を付している。
【００４７】
第３の実施形態に係るスパウトは、スパウト本体５２を備えている。
スパウト本体５２は、袋に装着される装着部５３を備えている。装着部５３は、装着部４と同様に、その外周面５４が把持部６に接続される他端２０から一端１８に向かうテーパになる形状に形成されている。装着部５３の外周面５４は、他端２０から一端１８にわたって所定のピッチの雄ねじ部５５となっている。
【００４８】
その他の構成は、図２に示すスパウト本体２と同じである。
図６は、第３の実施形態に係るスパウトの（ａ）キャップの平面図（ｂ）キャップの側断面図（図６（ａ）のｂ−ｂで示される切断線で切断したときの断面図）である。
第３の実施形態に係るスパウトは、図５に示すスパウト本体５２を袋に固定するためのキャップ５６を、スパウト本体５２と分離可能に備えている。
【００４９】
キャップ５６は、装着部５３に被せるための部材であって、装着部５３のテーパ比と同じテーパ比を有するテーパ状の周壁５７と、周壁５７のテーパ方向先端から径方向内側に広がる円環状の上壁５８とを一体的に備えている。
周壁５７の内周面５９は、周壁５７のテーパ方向始端から先端にわたって、装着部５３の雄ねじ部５５と対をなす雌ねじ部６０となっている。
【００５０】
円環状の上壁５８に囲まれる円形の開口６１は、スパウト５１（後述）を袋に装着したときに、袋の内容物をキャップ５６内に取り入れる取入口となる。
また、上壁５８の内周縁には、開口６１を４つに区画する十字棒６２が架設されている。十字棒６２は、上壁５８と同じ厚さで形成され、上壁５８を含む平面上に配置されている。そして、開口６１は、十字棒６２により４つの扇形に区画される。
【００５１】
また、十字棒６２の中心部６３には、キャップ５６内部（周壁５７に囲まれる部分）に臨む方向に尖るピン６４が設けられている。ピン６４は、十字棒６２と一体的に形成され、その尖った先端６６が周壁５７のテーパ方向始端を含む平面よりも、周壁５７のテーパ方向先端側に位置している。これにより、周壁５７のテーパ方向先端を含む平面とピン６４との間には、クリアランスが設けられている。
（スパウトの使用方法）
以上のようなスパウト本体５２およびキャップ５６を備えるスパウト５１は、以下のように使用される。
【００５２】
図７は、本発明の第３の実施形態に係るスパウトの使用方法を説明するための図である。
第３の実施形態に係るスパウト５１を袋９に装着するには、まず、図７（ａ）に示すように、スパウト本体５２の装着部５３により、袋９が、外側９１から内側９２に押し込まれる。これにより、袋９の内側９２には、外周面５４全域が袋９に被覆された装着部５３が突出する。そして、この突出した装着部５３に対して、袋９の内側９２から袋９を挟んでキャップ５６が被せられる。
【００５３】
次いで、図７（ｂ）に示すように、装着部５３に被せられたキャップ５６が、ねじの締まる方向に回される。これによって、図７（ｃ）に示すように、キャップ５６の雌ねじ部６０とスパウト本体５２の雄ねじ部５５とが、装着部５３の外周面５４とキャップ５６の内周面５９との間に袋９を介在させた状態でねじにより係合されるので、袋９が装着部５３に固定される。これにより、スパウト５１が袋９に装着された注出器具が作製される。
【００５４】
そして、この実施形態では、キャップ５６の係合時に、ピン６４により袋９が裂かれて孔６５が開けられ、袋９の内側９２と注出孔１７内とが、キャップ５６の開口６１を介して連通状態となる。
（作用効果）
この第３の実施形態によれば、袋９を、その外側９１から内側９２へスパウト本体２の装着部５３により押し込み、内側９２に突出した装着部５３に対して、袋９を挟んでキャップ５６を嵌め、キャップ５６をねじ締めすることにより、袋９にスパウト１が装着された注出器具を簡単に作製することができる。つまり、注出器具の利用者側で用意される袋９を利用して、注出器具を簡単に作製することができる。
【００５５】
また、キャップ５６の雌ねじ部６０とスパウト本体５２の雄ねじ部５５との、ねじによる係合により、スパウト本体２とキャップ５６とが固定されるので、キャップ５６を簡単に脱着することができる。そのため、袋９の内容物の注出後に、スパウト本体５２とキャップ５６とを分離し、それぞれ洗浄することにより、これらを再利用することができる。
したがって、このスパウト５１により作製される注出器具を、患者への投与剤の投与器具として用いる場合には、患者への投与を簡易化でき、さらに、投与に要するコストを低減することができる。
【００５６】
また、装着部５３の外周面５４とキャップ３２の内周面５９との間に袋９を介在させた状態で、スパウト本体５２が固定される。つまり、スパウト本体５２が線ではなく面（キャップ３２の内周面５９）で固定されるので、袋９に対するスパウト本体５２の固定強度を向上させることができる。
また、キャップ５６にピン６４が設けられているので、キャップ５６の係合時に、ピン６４により袋９に孔６５を開けることができる。つまり、袋９へのスパウト本体５２の固定と、袋９の開孔とを同時に行なうことができる。
【００５７】
さらに、周壁５７のテーパ方向先端を含む平面とピン６４との間にクリアランスが設けられているので、キャップ５６を装着部５３に嵌める前（位置決めする前）に、袋９に孔が開いてしまうのを抑制することができる。
＜他の実施形態＞
（スパウトの構成）
図８は、スパウトの（ａ）平面図（ｂ）側面図（ｃ）側断面図（図８（ａ）のｂ−ｂで示される切断線で切断したときの断面図）である。
【００５８】
スパウト７１は、一端から他端へ貫通する筒状をなしており、たとえば、ポリカーボネートなどの半透明性のエンジニアリングプラスチックからなる。
スパウト７１は、パウチに固定される軸方向一端側の固定部７２と、各種チューブ（たとえば、経口、経鼻あるいは胃瘻チューブなど）が接続される軸方向他端側の接続部７３と、固定部７２と接続部７３との間に形成され、固定部７２および接続部７３よりも大きい外径の（外側に膨らむ）把持部７４とを一体的に備えている。また、スパウト７１は、固定部７２、接続部７３および把持部７４を、固定部７２の軸方向一端７５から接続部７３の軸方向他端７６へ貫通する注出孔７７を有している。
【００５９】
固定部７２は、その一端７５を含む平面が軸方向に対して傾斜する尖鋭筒状に形成されるとともに、外周面８１が、把持部７４に接続される他端７８から一端７５に向かうテーパになっている。
また、固定部７２の一端７５は、注出孔７７の形成により開口しており、その開口は、スパウト７１をパウチに装着したときに、パウチの内容物を注出孔７７へ取り入れる取入口７９となる。
【００６０】
また、固定部７２の外周面８１は、他端７８から一端７５にわたってその全体が、所定のピッチでねじの切られたタッピングねじ部８２となっている。
接続部７３は、その軸方向の長さが固定部７２とほぼ同じ長さであって、固定部７２よりも細い管である。接続部７３は、その他端７６を含む平面が軸方向に対して直交する円筒状に形成されるとともに、外周面８０が、把持部７４に接続される一端８３から他端７６に向かうテーパ（たとえば、固定部７２と同じテーパ比を有するテーパ）になっている。
【００６１】
また、接続部７３の他端７６は、注出孔７７の形成により開口しており、スパウト７１を袋に装着したときに、袋の内容物をチューブなどへ注出する注出口８４となる。
把持部７４は、その軸方向の長さが固定部７２とほぼ同じ長さであって、固定部７２側（一端側）から接続部７３側（他端側）に向かって径の一定な円筒形に形成されている。把持部７４は、固定部７２および接続部７３よりも大きい外径を有している。
【００６２】
そして、固定部７２、把持部７４および接続部７３を貫通する注出孔７７は、スパウト７１において、パウチの内容物が流れる流路をなしている。注出孔７７は、取入口７９（固定部７２の一端７５）から注出口８４（接続部７３の他端７６）へ向かって段階的に流路経が窄まっており、具体的には、固定部７２においてテーパ状に窄まり、把持部７４において一定の流路径を保持し、接続部７３において再びテーパ状に窄まっている。
【００６３】
そして、上記したスパウト７１は、たとえば、専用の金型を作製し、その金型にスパウト７１を構成するプラスチックの溶融材料を射出して成形することにより製造することができる。
（スパウトの使用方法）
以上のようなスパウト７１は、以下のように使用される。
【００６４】
図９は、図８に示すスパウトの使用方法を説明するための図である。
図８に示されるスパウト７１は、たとえば、ヒートシール性を有するパウチ８５などに使用される。
パウチ８５は、たとえば、四角形のフィルムが２枚重ね合わされ、それぞれの４辺に沿う４つの周縁部が互いにヒートシールにより閉じられており、４つのうち、１つの周縁部８９の辺中央部には、２枚のフィルム間に切れ込み９０が形成されている。
【００６５】
そして、このパウチ８５にスパウト７１を装着するには、まず、図９（ａ）に示すように、スパウト７１の一端７５が、パウチ８５の切れ込み９０に対してセットされる。
次いで、図９（ｂ）に示すように、スパウト７１が、タッピングねじ部８２のねじの締まる方向に回される。このタッピングねじ部８２の回転により、パウチ８５の周縁部８９に対して、切れ込み９０から内側８６へ向かう方向に雌ねじを造成しながらスパウト７１が螺挿され、この螺挿は、スパウト７１の一端７５（取入口７９）がパウチ８５の内側８６に露出するまで続けられる。
【００６６】
こうして、図９（ｃ）に示すように、固定部７２のタッピングねじ部８２とパウチ８５の周縁部８９とが、ねじにより係合されるので、パウチ８５が固定部７２に固定される。これにより、スパウト７１がパウチ８５に装着された注出器具が作製される。
そして、この実施形態では、固定部７２の一端７５がパウチ８５の内側８６に配置されるので、パウチ８５の内側８６と注出孔７７内とが、固定部７２の取入口７９を介して連通状態となる。
（作用効果）
この他の実施形態によれば、スパウト７１の一端７５をパウチ８５の切れ込み９０にセットし、次いで、タッピングねじ部８２の回転によりスパウト７１を螺挿することにより、パウチ８５にスパウト７１が装着された注出器具を簡単に作製することができる。つまり、注出器具の利用者側で用意されるパウチ８５を利用して、注出器具を簡単に作製することができる。
【００６７】
また、パウチ８５の周縁部８９に対するタッピングねじ部８２の雌ねじの造成により、固定部７２とパウチ８５とがねじにより固定されるので、スパウト７１を簡単に脱着することができる。そのため、パウチ８５の内容物の注出後に、スパウト７１をパウチ８５から抜き、スパウト７１を洗浄することにより再利用することができる。
したがって、このスパウト７１により作製される注出器具を、患者への投与剤の投与器具として用いる場合には、患者への投与を簡易化でき、さらに、投与に要するコストを低減することができる。
【００６８】
また、固定部７２が尖鋭筒状に形成されているので、切れ込み９０に対して固定部７２の一端７５を簡単にセットすることができる。
さらに、スパウト７１をパウチ８５に固定するためのタッピングねじ部８２が、スパウト７１本体に形成されているので、利用者側で用意されるパウチ（袋）に取り付け可能なスパウトの構造を簡略化することができる。
【００６９】
以上、本発明の複数の実施形態について説明したが、本発明はさらに他の形態で実施することもできる。
たとえば、スパウト本体２やスパウト本体５２は、透明性を有するプラスチックや、非透明性のプラスチックなどからなるものであってもよい。
また、袋９としては、本発明のスパウトを利用することができれば、たとえば、ロール式袋、レジ袋などのディスポーザブル（使い捨て）袋以外の袋を用いることができる。
【００７０】
また、袋９に収容する内容物としては、スパウト本体２から注出することができれば、ゲル状物などであってもよい。
その他、特許請求の範囲に記載された事項の範囲で種々の設計変更を施すことが可能である。
【図面の簡単な説明】
【００７１】
【図１】本発明の第１の実施形態に係るスパウトの概要および使用方法を説明するための図である。
【図２】図１に示すスパウトの（ａ）本体の平面図（ｂ）本体の側断面図（ｃ）Ｏリングの斜視図である。
【図３】本発明の第２の実施形態に係るスパウトの（ａ）キャップの平面図（ｂ）キャップの側断面図である。
【図４】本発明の第２の実施形態に係るスパウトの使用方法を説明するための図である。
【図５】本発明の第３の実施形態に係るスパウトの本体の要部断面図である。
【図６】本発明の第３の実施形態に係るスパウトの（ａ）キャップの平面図（ｂ）キャップの側断面図である。
【図７】本発明の第３の実施形態に係るスパウトの使用方法を説明するための図である。
【図８】スパウトの（ａ）平面図（ｂ）側面図（ｃ）側断面図である。
【図９】図８に示すスパウトの使用方法を説明するための図である。
【符号の説明】
【００７２】
１    スパウト
２    スパウト本体（筒状体）
３    Ｏリング（固定具、締め付け手段）
４    装着部（筒状体の一端側）
５    接続部（筒状体の他端側）
１５  三角板（穿孔具、尖鋭体）
１７  注出孔
１８  一端（筒状体の一端）
１９  他端（筒状体の他端）
２７  注出口
３１  スパウト
３２  キャップ（固定具）
３６  開口（キャップの取入孔）
３７  三角板（穿孔具、尖鋭体）
５１  スパウト
５２  スパウト本体（筒状体）
５３  装着部（筒状体の一端側）
５４  外周面（筒状体の一端側外周面）
５６  キャップ（固定具）
６１  開口（キャップの取入孔）
６４  ピン（穿孔具、尖鋭体）
９１  外側（袋の外側）
９２  内側（袋の内側）
【図１】
2010047264.tif 000003
【図２】
2010047264.tif 000004
【図３】
2010047264.tif 000005
【図４】
2010047264.tif 000006
【図５】
2010047264.tif 000007
【図６】
2010047264.tif 000008
【図７】
2010047264.tif 000009
【図８】
2010047264.tif 000010
【図９】
2010047264.tif 000011